(57)【要約】      （修正有）【課題】可能な限り単純且つ製造が安価であると同時に可能な限り良好に封止され長期間安定したコンタクト装置を提供する。【解決手段】断面ではコンタクト部材１の完全に圧着された状態では導電体の外周に達するように構成される少なくとも１つの圧着片３１ａ，３１ｂを有する電気コンタクト部材に関し、腐食媒体の浸入に対して可能な限り単純且つ効果的に、長期的な安定性によってコンタクト装置の内部８０を封止するために、コンタクト部材１の前部保護片１１ａ，１１ｂは、断面では圧着片３１ａ，３１ｂに横断的に延在するように整列され、圧着片３１ａ，３１ｂに支えられ、導電体の前部部分は、断面では前部保護片１１ａ，１１ｂによって被覆されるように規定される。【選択図】図３
2015173111.tif 000002
【特許請求の範囲】
【請求項１】
少なくとも電気コンタクト部材（１，１'）の完全に圧着された状態（Ｃ）で、少なくとも断面では、導電体（２００）の外周に達するように構成及び配置される少なくとも１つの圧着片（３１ａ，３１ｂ）を有する電気コンタクト部材（１，１'）において、
前記少なくとも１つの圧着片（３１ａ，３１ｂ）に対して略横断的に延在しながら、少なくとも前記完全に圧着された状態（Ｃ）では前記少なくとも１つの圧着片（３１ａ，３１ｂ）に支えられながら、前記導電体（２００）の前部部分（２０３）を少なくとも断面では被覆するように構成及び配置される少なくとも１つの前部保護片（１１ａ，１１ｂ）を特徴とする電気コンタクト部材（１，１'）。
【請求項２】
前記少なくとも１つの前部保護片（１１ａ，１１ｂ）は、少なくとも前記完全に圧着された状態（Ｃ）において、ほぼ直角に屈曲されることを特徴とする請求項１に記載のコンタクト部材（１，１'）。
【請求項３】
前記少なくとも１つの前部保護片（１１ａ，１１ｂ）は、少なくとも前記完全に圧着された状態（Ｃ）において、前記コンタクト部材（１，１'）の基部（２０，３０，４０，５０，６０）に接触するように構成及び配置されることを特徴とする請求項１又は２に記載のコンタクト部材（１，１'）。
【請求項４】
前記少なくとも１つの前部保護片（１１ａ，１１ｂ）は、前記少なくとも１つの圧着片（３１ａ，３１ｂ）と一体的に形成され、前記少なくとも１つの圧着片（３１ａ，３１ｂ）から離れるように延在することを特徴とする請求項１乃至３の少なくとも１つに記載のコンタクト部材（１，１'）。
【請求項５】
少なくとも前記完全に圧着された状態（Ｃ）において、前記少なくとも１つの圧着片（３１ａ，３１ｂ）に対して略横断的に延在しながら前記前部部分（２０３）を少なくとも断面では被覆するように構成及び配置される少なくとも１つの更なる前部保護片（１１ａ，１１ｂ）を特徴とする請求項１乃至４のいずれか１項に記載のコンタクト部材（１，１'）。
【請求項６】
前記少なくとも１つの前部保護片（１１ａ，１１ｂ）及び前記少なくとも１つの更なる前部保護片（１１ａ，１１ｂ）は、前記コンタクト部材（１，１'）の中心軸（Ｍ）に関して互いに略反対側に位置するように配置されることを特徴とする請求項５に記載のコンタクト部材（１，１'）。
【請求項７】
前記少なくとも１つの前部保護片（１１ａ，１１ｂ）及び前記少なくとも１つの更なる前部保護片（１１ａ，１１ｂ）は、少なくとも前記完全に圧着された状態（Ｃ）において、前記コンタクト部材（１，１'）の縦方向（Ｌ）に重複することを特徴とする請求項５又は６に記載のコンタクト部材。
【請求項８】
前記少なくとも１つの前部保護片（１１ａ，１１ｂ）の自由端（１６）は、面取り面（１７）を備えることを特徴とする請求項１乃至７の少なくとも１項に記載のコンタクト部材（１，１'）。
【請求項９】
少なくとも１つの導電体（２００）と、少なくとも断面では前記導電体（２００）の外周に圧着される少なくとも１つの圧着片（３１ａ，３１ｂ）を有する少なくとも１つのコンタクト部材（１，１'）とを有する電気コンタクト装置（１００）であって、前記少なくとも１つの圧着片（３１ａ，３１ｂ）に対して略横断的に延在し且つ前記少なくとも１つの圧着片（３１ａ，３１ｂ）に支えられながら、少なくとも断面では前記導電体（２００）の前部部分（２０３）を被覆する少なくとも１つの前部保護片（１１ａ，１１ｂ）を特徴とする電気コンタクト装置（１００）。
【請求項１０】
コンタクト部材（１，１'）の少なくとも１つの圧着片（３１ａ，３１ｂ）が少なくとも断面では導電体（２００）の周囲に圧着される電気コンタクト装置（１００）を製造する方法であって、前記コンタクト部材（１，１'）の少なくとも１つの前部保護片（１１ａ，１１ｂ）は、少なくとも断面では、前記少なくとも１つの圧着片（３１ａ，３１ｂ）に横断的に延在するように整列され、前記少なくとも１つの圧着片（３１ａ，３１ｂ）に支えられ、前記導電体（２００）の前部部分（２０３）は、少なくとも断面では、前記少なくとも１つの前部保護片（１１ａ，１１ｂ）によって被覆されることを特徴とする方法。
【発明の詳細な説明】
【技術分野】
【０００１】
本発明は、少なくとも電気コンタクト部材の完全に圧着した状態において、少なくとも断面では導電体の外周に達するように構成及び配置される少なくとも１つの圧着片を有する前記電気コンタクト部材に関する。
【０００２】
更に、本発明は、少なくとも１つの導電体と、少なくとも断面では前記導電体の外周に圧着される少なくとも１つの圧着片を有する少なくとも１つのコンタクト部材とを有する電気コンタクト装置に関する。
【０００３】
最後に、本発明は、コンタクト部材の少なくとも１つの圧着片が、少なくとも断面では導電体周りに圧着される電気コンタクト装置の製造方法に関する。
【背景技術】
【０００４】
電気コンタクト部材と、コンタクト装置と、上述の種類のコンタクト装置を製造する方法とは、従来技術から知られている。圧着コンタクトとも呼ばれるコンタクト部材は、導電体周りに屈曲されると同時に、導電体と共に押圧されるが、これは一般的に圧着と呼ばれる。このために、未圧着すなわち圧着前のコンタクト部材が、一般的に圧着工具のアンビル上に載置される。次に、導電体すなわちその剥き出し部分が、コンタクト部材上に載置される。次に、コンタクト部材と導電体との間に機械的に安定し且つ導電的な接触を生じさせるために、少なくとも１つの圧着片が、剥き出し部分の周囲に屈曲され、剥き出し部分と共に押圧される。更に、コンタクト部材には、圧着された状態では、少なくとも断面では、導電体の電気絶縁体の外周に係合する絶縁体片が設けられることができる。圧着片と絶縁体片を備える一つの構成では、対応するコンタクト部材は、所謂Ｆ型圧着としても知られる。一般的に、コンタクト部材は、導電体と相手コンタクトとの間に電気的接触を生じるために使用される。コンタクト部材の接触部は、それに対応して、例えばプラグコンタクトや、半田付け片、締結穴等の形状とすることができる。
【０００５】
特に、導電体としてアルミニウムケーブルを使用する場合、特にコンタクト部材に含有される化学的により高品質の金属と接続しているアルミニウムは、より腐食し易いガルバニック局部部材を形成する可能性があるため、コンタクト部材が導電体に導電的に接続される領域は、湿気及びその他の腐食媒体の浸入から保護されることが望ましい。一般的に、コンタクト部材と導電体との間の腐食により、コンタクト部材と導電体を含むコンタクト装置の電気的性質及び機械的性質が悪化する可能性がある。
【０００６】
湿気又はその他の腐食媒体の浸入を防止するために、少なくとも１つの圧着バレルによって可能な限り完全に導電体の外周を囲繞すること、及び、少なくとも１つの導電体片によって包囲される絶縁体の部分を活用してコンタクト部材と導電体との接続領域をその絶縁体の方向に封止することが知られる。導電体の前部部分は、例えば、導電体を剥き出しにすることによって絶縁体から分離された絶縁体の部分であって、コンタクト部材を圧着すると、コンタクト装置の前側を封止するように変形もされる絶縁体の部分を活用して封止されることができる。
【０００７】
この種類のコンタクト装置は、例えば、本出願人によって提出された国際公開第２０１３／１４２６６６号から知られるが、その出願の内容は、全て本書に援用される。また、導電体とコンタクト部材との間の接続領域を、例えば、特に毛管効果を防止する例えばグリース等の封止添加剤によって封止することも知られている。更に、欧州特許出願公開第２１５１８９３号明細書は、バレルに圧着された導電体の自由端が、圧着片又はバレルの基部上に成形された制限部分によって斜めに被覆されることができる電気コンタクト装置を開示している。自由端はこのように押さえ付けられる一方、水等の電解液と接触しないように保護されることになっている。
【発明の概要】
【発明が解決しようとする課題】
【０００８】
従来技術のコンタクト部材、コンタクト装置、及びコンタクト装置を製造する方法に関連する問題としては、一方では、特に前部部分が十分に封止されなかったり、コンタクト装置の使用時に前部部分の封止部に悪影響を及ぼす可能性のある有害な機械的効果から保護されなかったりすることが考えられる。一方、この封止部は、複雑となり、絶縁体の分離部分や可燃材料により不良になり易い可能性がある。また、従来技術に示す圧着バレル、特に欧州特許出願公開第２１５１８３８号明細書により知られるものは、腐食媒体が前部部分すなわちコンタクト装置の内部に浸入することを可能にする開口及びスロットを有する。
【０００９】
上述の問題に鑑み、本発明の目的は、可能な限り単純且つ製造が安価であると同時に、可能な限り良好に封止され、長期間安定したコンタクト装置を提供することである。
【課題を解決するための手段】
【００１０】
冒頭で特定されたコンタクト部材に関して、この目的は、本発明によれば、前記電気コンタクト部材が、前記少なくとも１つの圧着片に対して略横断的に延在しながら、少なくとも前記コンタクト部材の前記完全に圧着された状態では前記少なくとも１つの圧着片に支えられながら、前記導電体の前部部分を少なくとも断面では被覆するように構成及び配置される少なくとも１つの前部保護片を備えることにより達成される。
【００１１】
冒頭で特定されたコンタクト装置に関して、前記目的は、本発明によれば、前記少なくとも１つの圧着片に対して略横断的に延在しながら且つ後者に支えられながら、少なくとも断面では前記導電体の前部部分を被覆する少なくとも１つの前部保護片が設けられることにより達成される。
【００１２】
冒頭で特定された方法では、前記目的は、本発明によれば、前記コンタクト部材の少なくとも１つの前部保護片は、少なくとも断面では前記少なくとも１つの圧着片に横断的に延在するように整列され、後者に接して設置され、前記導電体の前部部分は、前記少なくとも１つの前部保護片によって少なくとも断面では被覆されることにより達成される。
【００１３】
これらの課題解決手段の利点は、前記前部保護片を使用することによって、従来技術から知られるように、前記導電体の前部領域に封止を行うために前記コンタクト部材の材料を圧延することを省略することができることである。この封止は、前記少なくとも１つの前部保護片によって達成されることができる。言い換えれば、コンタクト部材は、前記コンタクト部材又は前記コンタクト装置の縦方向に対して略横断的に、前記導電体すなわち前記導電体と前記コンタクト部材との間の接続領域を少なくとも部分的に被覆するための少なくとも１つの前部保護片を有することができる。前記少なくとも１つの前部保護片は、前縁又は正面側と同一平面状に位置することができる。このように、前記コンタクト部材の前側の開口は全て完全に閉鎖されることができる。
【００１４】
前記少なくとも１つの前部保護片は、前記圧着片とは別々に変形されることができるので、前記圧着片は、前部領域を封止するために機能する必要がなくなり、縦方向に沿って前記導電体を少なくとも部分的に包含するためにのみ構成及び配置されることができる。前部保護片は、前記コンタクト部材によって形成される導電体の受容部すなわち前記導電体のための内部空間に対して平らに接して位置するすなわち前記正面側において前記導電体の受容部を画定することができる。前記少なくとも１つの前部保護片は、実質的に前記少なくとも１つの圧着片と、相手コンタクト部材又はその類似物と接触するための前記コンタクト部材の接触部との間に配置されることができる。
【００１５】
本発明に係る上記課題解決手段は、どのような方法で組み合わされてもよく、夫々が単独で有利である以下の更なる実施形態によって更に改良されることができる。
【００１６】
第１の更なる有利な実施形態によれば、前記少なくとも１つの前部保護片は、少なくとも前記完全に圧着された状態において、ほぼ直角に屈曲されることができる。言い換えれば、前記少なくとも１つの前部保護片は、単に圧着されたり折り返されたりすることができる。前記前部保護片の平らな側は、このように、少なくとも断面では導電体の受容部を完成することができる。例えば、前記コンタクト部材の圧着部分の前端の領域では、前記少なくとも１つの前部保護片は、少なくとも前記完全に圧着された状態では、例えば被覆部分によって、前記圧着部分と前記接触部との間の移行領域において屈曲される平らなストラップとして取り付けられることができるので、コンタクト側における前記コンタクト部材又は前記コンタクト装置の端部を被覆する。前記完全に圧着された状態になる前であっても、前記少なくとも１つの前部保護片は、例えば、前記コンタクト部材の圧着前の状態において折り畳まれることができるので、前記コンタクト部材又は前記コンタクト装置の内部は、少なくとも断面では、前部領域において被覆されることができる。
【００１７】
前記少なくとも１つの前部保護片は、少なくとも前記完全に圧着された状態において、前記コンタクト部材の基部に接触するように構成及び配置されることができる。例えば、前記前部保護片は、前記基部に接触することができ、同時に、前記圧着片の前縁すなわち正面側に接触することができる。このように、前記少なくとも１つの前部保護片は、前記基部及び前記少なくとも１つの圧着片と相互作用して、前記導電体の受容部を封止することができる。
【００１８】
前記少なくとも１つの前部保護片は、前記少なくとも１つの圧着片と一体的に形成され、前記少なくとも１つの圧着片から離れるように延在することができる。或いはその代わりに、又はそれに追加して、前記少なくとも１つの前部保護片は、前記コンタクト部材の基部上に形成されることができ、前記コンタクト部材の基部から離れるように延在することができる。このように、前記少なくとも１つの前部保護片は、単に、前記コンタクト部材のその他の部分を形成する物質と一体的に形成されることができる。前記コンタクト部材は、例えば、板材料から打ち抜かれることができる。１つの打ち抜きストリップに複数のコンタクト部材が形成されることができる。
【００１９】
前記コンタクト部材は、少なくとも前記完全に圧着された状態において、前記少なくとも１つの圧着片に対して略横断的に延在しながら、前記前部部分を少なくとも断面では被覆するように構成及び配置される少なくとも１つの更なる前部保護片を有することができる。例えば、前記少なくとも１つの前部保護片と前記少なくとも１つの更なる前部保護片は、夫々、前記コンタクト部材の梁を形成する圧着片上に形成されることができる。
【００２０】
前記少なくとも１つの前部保護片と前記少なくとも１つの更なる前部保護片は、前記圧着コンタクト部材の中心軸に関して互いに略反対側に位置するように配置されることができる。このように、前記２つの前部保護片は、夫々、例えば、前記前部部分の少なくとも半分、すなわち前記導電体の受容部すなわち前記内部の前端の少なくとも半分を被覆することができる。
【００２１】
前記少なくとも１つの前部保護片と前記少なくとも１つの更なる前部保護片は、少なくとも前記完全に圧着された状態において前記コンタクト部材の縦方向に重なることができる。言い換えれば、前記少なくとも１つの前部保護片と前記少なくとも１つの更なる前部保護片は、前記縦方向に沿う投影図では互いに折り重なるように配置されることができる。このために、前記少なくとも１つの前部保護片と前記少なくとも１つの更なる前部保護片は、前記縦方向に沿って互いにずらして配置されることができる。前記重複及び前記ずらし配置により、前記導電体の前記前部部分と前記導電体の受容部の前側すなわち前記内部の前側は、特に効果的且つ安定的な方法で封止されることができる。
【００２２】
前記少なくとも１つの前部保護片の自由端は、面取り面を備えることができる。前記面取り面は、前記縦方向の反対方向に傾斜させることができる。前記少なくとも１つの前部保護片と前記少なくとも１つの更なる前部保護片は、前記縦方向に前記面取り面の領域において重なり、共に押圧され、互いに係合されることができるように、略反対方向に面取りされることができる。このように、前記少なくとも１つの前部保護片や前記少なくとも１つの更なる前部保護片は、前記導電体の前記前部部分又は前記導電体の受容部を可能な限り効果的に封止するために、互いに対して、又は反対側に位置する部分に対して可能な限り平らに位置することができる。
【００２３】
以下では、本発明は、添付の図面を参照して考え得る実施形態を一例として用いてより詳細に記述される。これらの実施形態によって示される特徴の組み合わせは、単に一例に過ぎない。個別の特徴は、夫々特徴の利点が特定の用途に対して重要ではない場合は、上述の夫々の利点に応じて省略されてもよい。
【００２４】
前記実施形態の記述において、分かり易いように、同一の特徴及び部材は、同一の参照記号が付される。同一又は少なくとも類似の機能性を有する特徴及び部材は、一般的に、更なる実施形態又は考え得る構成を特定するために、１つ又は複数のアポストロフィが付される同一の参照番号又は同一の参照文字を有する。
【図面の簡単な説明】
【００２５】
【図１】未圧着状態の本発明に係るコンタクト部材の第１の実施形態の概略的な平面図である。
【図２】圧着前の状態の図１に示すコンタクト部材の概略的な平面図である。
【図３】圧着前の状態の図１及び図２に示すコンタクト部材の概略的な斜視図である。
【図４】完全に圧着された状態の図１乃至図３に示すコンタクト部材を備える本発明に係るコンタクト装置の概略的な詳細図である。
【図５】図４に示すコンタクト装置の細部の更なる概略的な斜視図である。
【図６】本発明に係るコンタクト装置を生成するために圧着工具において導電体と共に配置された本発明に係るコンタクト部材の概略的な断面図である。
【図７】未圧着状態における本発明に係るコンタクト部材の更なる実施形態の概略的な平面図である。
【図８】圧着前の状態における図７に示すコンタクト部材の概略的な斜視図である。
【発明を実施するための形態】
【００２６】
まず、図１を参照して、本発明に係るコンタクト部材１の第１の実施形態が記述されるが、第１の実施形態は、未圧着状態Ａのコンタクト部材１を示す。未圧着状態Ａでは、コンタクト部材１は、例えば、板材料から打ち抜かれた直後のそのままの完全に平面な形状とすることができ、高さ方向Ｚに突出するコンタクト部材の部分を有さず、略縦方向Ｘ及び横方向Ｙに延在することができる。例えば、板厚は、高さ方向Ｚに略平行に測定されることができる。縦方向Ｘ、横方向Ｙ、及び高さ方向Ｚは、共にデカルト座標系を形成する。
【００２７】
コンタクト部材１は、縦方向Ｘの反対方向にコンタクト部材１の前端８と後端９との間で一続きになった接触部２、導電体部分３、移行部分４、絶縁体部分５、接続部分６、及び取扱い部分７を有する。接触部２と導電体部分３との間に配置され、縦方向Ｘに向くコンタクト部材１の正面側１０上に形成されるのは、縦方向Ｘと平行に延在するコンタクト部材１の縦軸Ｌに対して互いに対向して配置された前部保護片１１ａ及び更なる前部保護片１１ｂであり、これらは、コンタクト部材１の完全に圧着された状態Ｃにおけるコンタクト部材１のための前部保護部１１を形成する（図４を参照）。
【００２８】
２つの前部保護片１１ａ，１１ｂの夫々は、軸部１２によって正面側１０に接続される。軸部１２の領域では、２つの前部保護片１１ａ，１１ｂにスロットが形成され、すなわち、前部保護片１１ａ，１１ｂと正面側１０との間にスロット１３が形成される。縦方向Ｘに軸部１２と隣接するのは、軸部１２を前部保護片１１ａ，１１ｂの被覆部１５に接続する屈曲部分１４であり、被覆部１５は、縦方向Ｘに屈曲部分１４に連続している。被覆部１５は、前部保護片１１ａ，１１ｂの自由端１６を形成する。自由端１６上では、前部保護片１１ａ，１１ｂが面取り面１７を備える。縦軸Ｌに向かう方向に、各前部保護片１１ａ，１１ｂは、自由端１６と屈曲部分１４との間に丸み１８を有する。自由端１６と屈曲部分１４との間に延在する前部保護片１１の側縁１９は、略直線に延在する。
【００２９】
更に、図１では、縦軸Ｌに略平行に測定される更なる前部保護片１１ｂの長さＩ11bは、同様に縦軸Ｌに略平行に測定される前部保護片１１ａの長さＩ11aよりも長いことが分かる。特に、前部保護片１１ｂは、縦軸Ｌと略平行に測定される前部保護片１１ａよりも長い軸部１２を有する。横方向Ｙに略平行に測定される前部保護片１１ａの幅ｂ11aは、同様に横方向Ｙに略平行に測定される前部保護片１１ｂの幅ｂ11bに概ね対応している（図７も参照）。接触部２は、接触部２の曲げ剛性を増加するために、例えばビード又はその類似物の形状とすることができる補強部材２０を有することができる（図２を参照）。前端８上では、接触部２が、各要求事項に従って形成されたコンタクト部品（図示せず）を備えることができる。コンタクト部品は、例えば、端子箱又はソケットコンタクト、ピンコンタクト、締結穴等とすることができる。
【００３０】
導電体部分３は基部３０を含む。基部３０の両側には、縦軸Ｌに関して対向して位置するように、圧着片３１ａ及び更なる圧着片３１ｂがコンタクト部材１上に形成される。完全に圧着された状態Ｃでは、圧着片３１ａ，３１ｂは、コンタクト部材１用のカバー３１を形成する（図４を参照）。圧着片３１ａ，３１ｂは、夫々、屈曲領域３４によって基部３０に接続される。圧着片３１ａ，３１ｂの側面３５は、略横方向Ｙ又はその反対方向に縦軸Ｌから離れる方向に向く圧着片３１ａ，３１ｂの外縁３６を形成する。導電体部分３は、基部３０の全体に渡って且つ梁３５内へ横方向Ｙに略平行に延在し、コンタクト部材１と導電体との間の接続を向上する溝形状の凹み３８を備える（図６参照）。
【００３１】
更に、導電体部分３は、移行部分４を介して絶縁体部分５の封止部分５ａ内に移行し、封止部分５ａには、縦方向Ｘと反対方向に絶縁体部分５の保持部分５ｂが隣接する。封止部分５ａでは、封止片５１ａ及び更なる封止片５１ｂは、横方向Ｙ及びその反対方向に、絶縁体部分５の領域におけるコンタクト部材１の基部５０から、縦軸Ｌから離れるように延在する。圧着片３１ａ，３１ｂと同様に、封止片５１ａ，５１ｂは夫々、屈曲領域５４を介して、絶縁体部分５の基部５０に接続され、外縁５６を形成する梁５５を有する。封止片５１ａ，５１ｂと同様に、保持部分５ｂに形成される保持片５１ｃ，５１ｄは、同様に、横方向Ｙ及びその反対方向に縦軸Ｌから離れるように延在し、屈曲領域５４を介して基部５０に接続される。保持片５１ｃ，５１ｄは夫々、スロット５２によって封止片５１ａ，５１ｂから変位している。接続部分６は、同様に、基部６０及び外縁６６を有する。取扱い部分７の基部７０に形成されるのは、特にコンタクト部材１を処理する際に、コンタクト部材１の取扱い及び正確な配置を容易にする穴すなわち貫通孔の形をした取扱い部品７１である。
【００３２】
図２は、未圧着状態Ａにおけるコンタクト部材１の概略的に示すシルエットと比較して、圧着前の状態Ｂにおける概略的な平面図においてコンタクト部材を示す。圧着前の状態Ｂでは、接触部２すなわちその領域における基部２０は、補強部材２１を備える。圧着片３１ａ，３１ｂは、夫々の屈曲領域３４において基部３０から離れる方向に丸く屈曲されるので、その外縁が略高さ方向Ｚに向く。圧着片３１ａ，３１ｂの正面側１０上に配置される前部保護片１１ａ，１１ｂは、前部保護片１１ａ，１１ｂの自由端１６が縦軸Ｌに向かう方向に向くように、夫々の屈曲部分１４上で略直角に丸く屈曲される。前部保護片１１ａ上の面取り面１７は、前部保護片１１ｂ上で反対方向に整列された面取り面１７に向かって、横方向Ｙの略反対方向及び略縦方向Ｘに向く。前部保護片１１ａ，１１ｂの被覆部１５は、横方向Ｙに沿う被覆部１５が、圧着片１１ｂの被覆部１５と基部３０や圧着片３１ｂの領域における正面側１０との間の空間と略整列するように、縦方向Ｘに沿って互いに対して異なる高さに配置される。
【００３３】
更に、移行部分４、絶縁体部分５、及び接続部分６では、夫々の梁及び封止片５１ａ，５１ｂ、保持片５１ｃ，５１ｄ、及び少なくとも外縁６６も、夫々の屈曲領域４４，５４，６４において丸く屈曲されるので、少なくともそれに準じて高さ方向Ｚに向く。封止片５１ａ上に形成され、移行部分４において縦方向Ｘに先細りする面取り面５７は、少なくともそれに準じて横方向Ｙに互いに向かい合う。更なる保持片５１ｄは、横方向Ｙに縦軸Ｌ上でスロット５２の反対側に位置するように配置される。
【００３４】
図３は、概略的な斜視図で圧着前の状態Ｂにおけるコンタクト部材１を示す。ここでは、梁状に形成される補強構造体２１、圧着片３１ａ，３１ｂ、移行部分４における梁４５、封止片５１ａ，５１ｂ、及び保持片５１ｃ，５１ｄは、高さ方向Ｚに夫々の基部２０，３０，４０、及び５０から離れるように夫々の屈曲領域２４，３４，４４、及び５４において屈曲され、少なくとも断面では、横方向Ｙ及びその反対方向にコンタクト部材１の内部８０を画定する。更に、内部８０は、高さ方向Ｚの反対方向に、基部２０，３０，４０，５０、特に、導電体部分３、移行部分４、及び絶縁体部分５における基部３０，４０及び５０によって画定される。縦方向Ｘには、内部８０は、少なくとも断面では、前部保護片１１ａ，１１ｂによって、特にそれらの被覆部１５によって画定される。コンタクト部材１の中心軸Ｍは、内部８０を通って梁３５，４５，５５の間の中心を基部２０，３０，４０，５０の上方に縦軸Ｌと略平行に延在する。
【００３５】
図４は、概略的な斜視図において完全に圧着された状態Ｃにおけるコンタクト部材１の細部、特にその前部保護部１１を示す。ここでは、完全に圧着された状態Ｃにおいて、圧着片３１ａ，３１ｂは、丸く屈曲されたり、互いに突き当たる梁３５や略中心軸Ｍに沿って延在することができる外縁３６に沿ってシーム９０を形成する程度まで丸められたりすることがはっきりと分かる。圧着片３１，３１ｂは、このように、少なくとも断面では高さ方向Ｚの反対方向に内部８０を画定するコンタクト部材１の閉鎖カバー３１を形成する。丸み１８は、夫々、円周周りに圧着片３１ａ，３１ｂの内側に摺り寄る。
【００３６】
縦方向Ｘでは、内部８０は、少なくとも断面では、前部保護片１１ａ，１１ｂによって形成される前部保護部１１によって画定すなわち閉鎖される。夫々の被覆部１５の領域では、前部保護片１１ａ，１１ｂが、少なくとも中心軸Ｍに沿う投影図において重なることができる。言い換えれば、例えば、前部保護片１１の自由端１６は、中心軸Ｍを越えて突出することができる。このように、更なる前部保護片１１ｂは、前部保護片１１ａに支えられながら、縦方向Ｘにおける前部保護片１１ａの後方に配置されることができる。前部保護片１１ａは、前部保護片１１ｂの被覆部１５と正面側１０との間に形成される空間に突出、又は前記空間に形状固定や圧力嵌めによって収容されることができ、これにより、前部保護部１１の安定性の改善を促すことができる。
【００３７】
図５は、コンタクト部材１の他の部分と、本発明に従って構成され、完全に圧着した状態Ｃにおける、特に移行部分４及び絶縁体部分５におけるコンタクト部材１を含むコンタクト装置１００を示す。ここでは、外縁５６及び特に封止片５１ａ，５１ｂの面取り面５７が、完全に圧着された状態Ｃにおいて互いに同一平面上に位置することができるので、シーム９０が、移行部４を越えて封止部分５内へ途切れることなく延出することができることがはっきりと分かる。保持片５１ｃ，５１ｄは、導電体２００を囲繞し、導電体２００の電気ケーブル２０１は、内部８０において、その絶縁体２０２の外周が圧着される。更なる保持片５１ｄは、少なくとも断面ではスロット５２内に埋め込まれ、形状固定や圧力嵌めによってスロット５２内に保持されることができる。
【００３８】
図６は、縦方向Ｘ及び高さ方向Ｚと略平行に広がる圧着工具３００における平面における中心軸Ｍに沿う概略的な断面図において圧着前の状態Ｂにおけるコンタクト部材１及びコンタクト装置１００を示す。圧着工具３００は、例えば、クリンパ３００ａ及びアンビル３００ｂを有することができる圧着ダイとすることができる。コンタクト部材１は、少なくとも導電体部分３、移行部分４、及び絶縁体部分５が、圧着工具３００の対応する導電体金型３０３、移行金型３０４、又は絶縁体金型３０５に配置されるよう、少なくとも基部３０，４０，５０がアンビル３００ｂ上に載置される。導電体２００は、少なくとも導電体部分３に配置される領域において剥き出しにされている。導電体２００すなわちその電気ケーブル２０１の前部部分２０３は、前部保護部１１から、縦方向Ｘと略平行に測定される距離ｄ11, 203離れて配置されるので、圧着インデンタ３００ａは、コンタクト装置１００を圧着前の状態Ｂから完全に圧着された状態Ｃにするように、アンビル３００ｂに向かって下降することができ、このようにして、前部保護部１１に悪影響を及ぼすことなく、絶縁体部分５、接続部分６、及び取扱い部分７を圧着することができる。
【００３９】
図７は、未圧着状態Ａにおける本発明に係るコンタクト部材１'の他の実施形態を示す。コンタクト部材１とは異なり、封止片５１ａ'，５１ｂ'は、保持部分１３の外縁３６よりも上方にすなわち保持片５１ｃ，５１ｄと同様に横方向Ｙの反対方向に突出するように、コンタクト部材１'上に形成される。この場合でも、確実な圧着、延いては内部８０の封止囲繞を行うことができるように、移行部分４の梁４５と封止片５１，５１ｂの間には、更なるスロット４３が夫々設けられる。
【００４０】
図８は、圧着前の状態Ｂにおけるコンタクト部材１'を示す。ここでは、封止片５１ａ'，５１ｂ'の少なくとも外縁５６は、夫々のスロット４３によって移行部分４から離れることがはっきりと分かる。これにより、移行部分４と絶縁体部分５が、互いに悪影響を及ぼすことなく、これらの部分を圧着することが可能になる。
【００４１】
本発明の背景にある考えの枠組みの範囲内では、上述した実施形態からの変更が可能である。従って、本発明に係るコンタクト部材１，１'は、夫々の要求事項によれば、接触部２、導電体部分３、移行部分４、絶縁体部分５，５'、取扱い部分７、前端８、及び後端９を備えることができ、これらは、夫々の要求事項によれば、任意の数及び形状の正面側１０、前部スロット１１、前部片１１ａ，１１ｂ、軸部１２、スロット１３、屈曲部分１４、被覆部１５、自由端１６、面取り面１７、丸み１８、側縁１９、基部２０、補強部材２１、基部３０、カバー３１、圧着片３１ａ，３１ｂ，屈曲領域３４、梁３５、外縁３６、面取り面３７、凹み３８、基部４０、スロット４３、屈曲部４４、梁４５、基部５０、封止片５１ａ，５１ｂ、保持片５１ｃ，５１ｄ、屈曲領域５４、梁５５、外縁５６、面取り面５７、基部６０、外縁６６、基部７０、取扱い部品７１を有して内部８０を囲繞するようにすることができ、内部８０が、少なくとも１つの導電体２００を内部に収容するため、及び各要求事項に従って構成されるコンタクト装置１００を後者によって形成するために、各要求事項に従って構成されることができるように、内部８０が、例えばシーム９０の形成によって可能な限り封止され、可能な限り安定するようにする。従って、本発明に係る圧着工具３００は、各要求事項によれば、１つ又は複数の導電体２００と共にコンタクト部材１，１'を圧着するように構成されることができる。
【符号の説明】
【００４２】
１，１' コンタクト部材
２  接触部
３  導電体部分
４  移行部分
５，５' 絶縁体部分
５ａ  封止部分
５ｂ  保持部分
６  接続部分
７  取扱い部分
８  前端
９  後端
１０  正面側
１１  前部保護部
１１ａ 前部保護片／クリンプ
１１ｂ 更なる前部保護片／クリンプ
１２  軸部
１３  スロット
１４  屈曲部分
１５  被覆部分
１６  自由端
１７  面取り面
１８  丸み
１９  側縁
２０  接触部の基部
２１  補強部材
３０  導電体部分の基部
３１  カバー
３１ａ 圧着片
３１ｂ 更なる圧着片
３４  屈曲領域
３５  梁
３６  外縁
３７  面取り面
３８  凹み
４０  移行部分の基部
４３  スロット
４４  屈曲部
４５  梁
５０  絶縁体部分の基部
５１ａ 封止片
５１ｂ 更なる封止片
５１ｃ 保持片
５１ｄ 更なる保持片
５３  スロット
５４  屈曲領域
５５  梁
５６  外縁
５７  絶縁体部分の面取り面
６０  接続部分の基部
６６  接続部分の外縁
７０  取扱い部分の基部
７１  取扱い部品
８０  内部
９０  軸部
１００ コンタクト装置
２００ 導電体
２０１ 電気ケーブル／芯線
２０２ 絶縁体
２０３ 前部部分
３００ 圧着工具／ダイ
３００ａ クリンパ
３００ｂ アンビル
３０３ 導電体金型
３０４ 移行金型
３０５ 絶縁体金型
ｂ11a  前部保護片の幅
ｂ11b  更なる前部保護片の幅
ｄ11,203 距離
Ｉ11a  前部保護片の長さ
Ｉ11b  更なる前部保護片の長さ
Ａ  未圧着状態
Ｂ  圧着前の状態
Ｃ  完全に圧着された状態
Ｌ  縦軸
Ｍ  中心軸
Ｘ  縦方向
Ｙ  横方向
Ｚ  高さ方向
【図１】
2015173111.tif 000003
【図２】
2015173111.tif 000004
【図３】
2015173111.tif 000005
【図４】
2015173111.tif 000006
【図５】
2015173111.tif 000007
【図６】
2015173111.tif 000008
【図７】
2015173111.tif 000009
【図８】
2015173111.tif 000010
【外国語明細書】
2015173111000001.pdf
2015173111000002.pdf
2015173111000003.pdf
2015173111000004.pdf